(57)【特許請求の範囲】
【請求項１】
高層建築物において、給水タンクと給水可能に接続され、前記給水タンクより高所に設置された蛇口に、前記給水タンクから水を供給する給水方法であって、
前記給水タンクは耐圧容器からなり、
前記給水タンクに、水に対して難溶性で、かつ、不燃性のガスからなるハイドレートを投入する工程と、
前記ハイドレートをガスと水に分解させることにより前記給水タンク内の圧力を上昇させて前記水を前記蛇口に導入する工程と、
を含むことを特徴とする給水方法。
【請求項２】
前記高層建築物において、前記給水タンク及び前記蛇口と給水可能に接続され、前記給水タンクより高所であって、前記蛇口と同じ高さか、より高所に高置タンクを設け、
前記ハイドレートを分解させることにより前記給水タンク内の圧力を上昇させて前記水を前記高置タンクに導入する工程と、
前記高置タンクから前記蛇口に水を供給する工程と、
を含むことを特徴とする請求項１に記載の給水方法。
【請求項３】
高層建築物において、
給水タンクと、
前記給水タンクと給水可能に接続され、前記給水タンクより高所に設置された蛇口と、を備える給水システムであって、
前記給水タンクは、耐圧容器からなり、水に対して難溶性で、かつ、不燃性のガスからなるハイドレートを前記給水タンク内に供給するハイドレート供給手段を備えることを特徴とする給水システム。
【請求項４】
前記ハイドレートをガスと水に分解するための分解手段を、さらに備えることを特徴とする請求項３に記載の給水システム。
【請求項５】
前記分解手段が、前記給水タンクに水を供給する水供給手段であることを特徴とする、請求項４に記載の給水システム。
【請求項６】
前記高層建築物において、前記給水タンク及び前記蛇口と給水可能に接続され、前記給水タンクより高所であって、前記蛇口と同じ高さか、より高所に設置された高置タンクをさらに備えることを特徴とする請求項３〜５のいずれかに記載の給水システム。
【請求項７】
請求項３〜５のいずれかに記載の給水システムにおいて、
前記給水システムは、
前記給水タンク及び前記蛇口と給水可能に接続され、前記タンクより高所であって、前記蛇口と同じ高さか、より高所に設置された高置タンクと、
前記高置タンク内の水量を測定する高置タンク水量測定器と、
をさらに備え、
前記高置タンク水量測定器によって測定された前記高置タンクの水量が所定値に満たない場合、前記ハイドレート供給手段が前記給水タンクにハイドレートを供給することを特徴とする給水制御方法。
【請求項８】
請求項５に記載の給水システムにおいて、
前記給水システムは、
前記給水タンク及び前記蛇口と給水可能に接続され、前記タンクより高所であって、前記蛇口と同じ高さか、より高所に設置された高置タンクと、
前記高置タンク内の水量を測定する高置タンク水量測定器と、
をさらに備え、
前記給水タンクは、前記ハイドレートを受け入れるためのメッシュ状の容器を備え、
前記高置タンク水量測定器によって測定された前記高置タンクの水量が所定値に満たない場合に、前記水供給手段が、メッシュ状の容器に受け入れられたハイドレートが浸水する量の水を前記給水タンクに供給することを特徴とする給水制御方法。
【請求項９】
前記給水タンクはガス抜き弁を備え、
前記高置タンク水量測定器によって測定された前記高置タンク内の水量が所定値以上に達した場合に前記ガス抜き弁が開放されることを特徴とする請求項７又は８に記載の給水制御方法。
【請求項１０】
請求項５に記載の給水システムにおいて、
前記給水システムは、前記給水タンク内の水量を測定する給水タンク水量測定器をさらに備え、
前記給水タンク水量測定器によって測定された前記給水タンクの水量が所定値に満たない場合に、前記水供給手段は前記給水タンクに水を供給することを特徴とする給水制御方法。
【発明の詳細な説明】
【技術分野】
【０００１】
本発明は、高層建築物における給水方法並びに給水システム及びその制御方法に関する。
【背景技術】
【０００２】
高層建築物に設けられた各蛇口に配水管の水圧で水を供給できない場合には、従来、ブースターポンプを設置して配水管の水を直接各蛇口に供給したり、配水管からの水を一旦受水タンクに貯蔵してポンプにより高層建築物の屋上に設置されている高置タンクに供給し、各蛇口に供給したりしている。
【０００３】
しかしながら、これらの方法では、停電や故障時においてポンプが停止し、各蛇口に水を供給できないため、ある程度の給水を可能とした技術が開発されている（例えば、特許文献１参照）。
【特許文献１】特開平１１−３２４９７６号公報
【発明の開示】
【発明が解決しようとする課題】
【０００４】
しかしながら、上述のような技術では、高置タンクに残っている水しか高層建築物の各蛇口に直接供給することができないため、停電や故障などのポンプの停止時においても水を各蛇口に供給することができる技術の開発が求められている。
【０００５】
そこで、本発明は、停電や故障などのポンプの停止時においても高層建築物の各蛇口に水を供給することができる給水方法、並びに、給水システム及びそれを用いた給水制御方法を提供することを目的とする。
【課題を解決するための手段】
【０００６】
上記課題を解決するために、本発明に係る給水方法は、高層建築物において、給水タンクと給水可能に接続され、前記給水タンクより高所に設置された蛇口に、前記給水タンクから水を供給する給水方法であって、前記給水タンクは耐圧容器からなり、前記給水タンクに、水に対して難溶性で、かつ、不燃性のガスからなるハイドレートを投入する工程と、前記ハイドレートをガスと水に分解させることにより前記給水タンク内の圧力を上昇させて前記水を前記蛇口に導入する工程と、を含む。
【０００７】
上述の給水方法は、前記高層建築物において、前記給水タンク及び前記蛇口と給水可能に接続され、前記給水タンクより高所であって、前記蛇口と同じ高さか、より高所に高置タンクを設け、前記ハイドレートを分解させることにより前記給水タンク内の圧力を上昇させて前記水を前記高置タンクに導入する工程と、前記高置タンクから前記蛇口に水を供給する工程と、をさらに含むこととしてもよい。
【０００８】
本発明に係る給水システムは、高層建築物において、給水タンクと、前記給水タンクと給水可能に接続され、前記給水タンクより高所に設置された蛇口と、を備える給水システムであって、前記給水タンクは、耐圧容器からなり、水に対して難溶性で、かつ、不燃性のガスからなるハイドレートを前記給水タンク内に供給するハイドレート供給手段を備えることを特徴とする。
【０００９】
本発明に係る給水システムは、前記ハイドレートをガスと水に分解するための分解手段を、さらに備えることとしてもよい。前記分解手段は、例えば、前記給水タンクに水を供給する水供給手段などである。
【００１０】
また、本発明に係る給水システムは、前記高層建築物において、前記給水タンク及び前記蛇口と給水可能に接続され、前記給水タンクより高所であって、前記蛇口と同じ高さか、より高所に設置された高置タンクをさらに備えることとしてもよい。
【００１１】
本発明に係る給水制御方法は、高層建築物において、給水タンクと、前記給水タンクと給水可能に接続され、前記給水タンクより高所に設置された蛇口と、耐圧容器からなり、水に対して難溶性で、かつ、不燃性のガスからなるハイドレートを前記給水タンク内に供給するハイドレート供給手段と、を備える給水システムに、前記給水タンク及び前記蛇口と給水可能に接続され、前記タンクより高所であって、前記蛇口と同じ高さか、より高所に設置された高置タンクと、前記高置タンク内の水量を測定する高置タンク水量測定器と、をさらに備え、前記高置タンク水量測定器によって測定された前記高置タンクの水量が所定値に満たない場合、前記ハイドレート供給手段が前記給水タンクにハイドレートを供給するように制御する工程を含む。なお、前記給水システムは、前記ハイドレートをガスと水に分解するための分解手段をさらに備えることとしてもよい。前記分解手段は、例えば、前記給水タンクに水を供給する水供給手段などである。
【００１２】
また、本発明に係る給水制御方法は、高層建築物において、給水タンクと、前記給水タンクと給水可能に接続され、前記給水タンクより高所に設置された蛇口と、耐圧容器からなり、水に対して難溶性で、かつ、不燃性のガスからなるハイドレートを前記給水タンク内に供給するハイドレート供給手段と、を備える給水システムに、前記ハイドレートを前記給水タンク内でガスと水に分解するために前記給水タンクに水を供給する水供給手段と、前記給水タンク及び前記蛇口と給水可能に接続され、前記タンクより高所であって、前記蛇口と同じ高さか、より高所に設置された高置タンクと、前記高置タンク内の水量を測定する高置タンク水量測定器と、をさらに備え、前記給水タンクは、前記ハイドレートを受け入れるためのメッシュ状の容器を備え、前記高置タンク水量測定器によって測定された前記高置タンクの水量が所定値に満たない場合に、前記水供給手段が、メッシュ状の容器に受け入れられたハイドレートが浸水する量の水を前記給水タンクに供給するように制御する工程を含む。
【００１３】
上述の給水制御方法は、前記給水タンクはガス抜き弁を備え、前記高置タンク水量測定器によって測定された前記高置タンク内の水量が所定値以上に達した場合に前記ガス抜き弁が開放されるように制御する工程をさらに含むこととしてもよい。
【００１４】
さらに、本発明に係る給水制御方法は、高層建築物において、給水タンクと、前記給水タンクと給水可能に接続され、前記給水タンクより高所に設置された蛇口と、耐圧容器からなり、水に対して難溶性で、かつ、不燃性のガスからなるハイドレートを前記給水タンク内に供給するハイドレート供給手段と、を備える給水システムに、前記ハイドレートを前記給水タンク内でガスと水に分解するために前記給水タンクに水を供給する水供給手段をさらに備え、前記給水タンク水量測定器によって測定された前記給水タンクの水量が所定値に満たない場合に、前記水供給手段は前記給水タンクに水を供給するように制御する工程を含む。
【発明の効果】
【００１５】
本発明によれば、停電や故障などのポンプの停止時においても高層建築物の各蛇口に水を供給することができる給水方法、並びに、給水システム及びそれを用いた給水制御方法を提供することができる。
【発明を実施するための最良の形態】
【００１６】
以下、好ましい実施の形態につき、添付図面を用いて詳細に説明する。
【００１７】
＝＝本発明に係る給水システムの全体構成＝＝
図１は、本発明の一実施形態として説明する給水システムの概略構成を示す図である。図１に示すように、本発明に係る給水システム１００は、受入タンク１０、ポンプ２０、高置タンク３０、開閉装置４０、水道本管５０などを備える。
【００１８】
高置タンク３０は、アパートやマンションなどの高層建築物２００に設置された蛇口３３と同じ高さか、より高所（例えば、高層建築物２００の上層部（好ましくは３階以上の部分）や屋上など）に設置され、前記蛇口３３に配管３２を介して重力により水を供給する水槽である。
【００１９】
受入タンク（給水タンク）１０は、水道本管５０から配管５１を介して供給される水を受け入れ、受け入れた水を受入タンク１０より高所に設置された高置タンク３０に配管２２を介して導入する装置である。受入タンク１０は、耐圧容器からなり、水に対して難溶性で、かつ不燃性のガスからなるハイドレート（以下、単に「ガスハイドレート」と称する。）を受入可能な受入口１１を備える。この受入口１１からガスハイドレートを受入タンク１０内に投入すると、ガスハイドレートは受入タンク１０内に供給された水によりガスと水に分解され、これにより受入タンク１０内の圧力が上昇し、受入タンク１０内の水が配管２２を介して高置タンク３０に導入されることとなる。
【００２０】
なお、受入タンク１０内の水が高置タンク３０に供給された後、受入タンク１０内に残った不要なガスは、ガス抜き弁１２を介して大気に放出される。また、高置タンク３０内の不要なガスは、ガス抜き弁３１を介して大気に放出される。
【００２１】
開閉装置４０は、配管５１を介して水道本管５０から受入タンク１０に水を流して受入タンク１０に水を供給したり、水道本管５０から受入タンク１０への水の供給を停止したりする装置である。開閉装置４０は、例えば、弁、電磁弁などである。
【００２２】
ポンプ２０は、配管２１を介して受入タンク１０内の水を高置タンク３０に供給する装置である。
【００２３】
以上のように、ポンプ２０で高層建築物２００の蛇口３３に水を供給する給水システム１００において、受入タンク１０を耐圧容器にし、ガスハイドレートを受入タンク１０内に投入してガスハイドレートを分解させることにより、停電や故障によるポンプ２０の停止時においても高層建築物２００の蛇口３３に水を供給することができるようになる。
【００２４】
なお、本実施の形態においては、ガスハイドレートにより受入タンク１０内の水を高置タンク３０に導入し、高置タンク３０から配管３２を介して蛇口３３に水を供給することとしているが、ガスハイドレートにより受入タンク１０内の水を直接蛇口３３に導入することとしてもよい。
【００２５】
また、本実施の形態においては、ガスハイドレートを受入タンク１０に供給した水により分解させることとしているが、ガスハイドレートを自然に分解させることとしてもよいし、ガスハイドレートを加熱装置により加熱して分解させることとしてもよい。
【００２６】
さらに、図２に示すように、上述の給水システム１００に、ガスハイドレート６１の保存容器６０と、受入口１１からガスハイドレート６１を受入タンク１０に供給するガスハイドレート供給装置１３をさらに備えさせ、停電や故障によってポンプ２０が停止した場合、あるいは、ポンプ２０が設置されていない場合に、ガスハイドレート供給装置１３がガスハイドレート６１を受入タンク１０に供給し、水道本管５０から受け入れた受入タンク１０内の水を蛇口３３に導入することができるようにしてもよい。これにより、ガスハイドレートの受入タンク１０内への供給を自動で行うことができるようになる。
【００２７】
また、図２に示すように、上述の給水システム１００は、高置タンク３０内の水位（水量）を測定するレベル発信器３４をさらに備えて、通信線１により上述のガスハイドレート供給装置１３をレベル発信器３４と通信可能に接続し、ガスハイドレート供給装置１３がレベル発信器３４から、レベル発信器３４が測定した高置タンク３０内の水位（水量）のデータを受信できるようにし、ガスハイドレート供給装置１３は、高置タンク３０内の水位（水量）が所定値に満たない場合に、ガスハイドレート６１を受入タンク１０に供給し、受入タンク１０が水道本管５０から受け入れた水を高置タンク３０に供給することができるようにしてもよい。これにより、高置タンク３０内の水位（水量）が所定値に満たない場合に自動で水が高置タンク３０に補給されるようにすることができる。なお、ガスハイドレート供給装置１３及びレベル発信器３４は、バッテリーや太陽電池等により、データの送受信を行ったり、ガスハイドレート６１を供給したりする。
【００２８】
また、図２に示すように、上述の給水システム１００は、受入タンク１０内の水位（水量）を測定するレベル発信器１４をさらに備えて、通信線１により上述のガスハイドレート供給装置１３をレベル発信器１４と通信可能に接続し、ガスハイドレート供給装置１３がレベル発信器１４から、レベル発信器１４が測定した受入タンク１０内の水位（水量）のデータを受信できるようにし、さらに、ガスハイドレート供給装置１３が開閉装置４０の開閉を制御できるように、ガスハイドレート供給装置１３と開閉装置４０とを制御線２で接続し、ガスハイドレート供給装置１３は、受入タンク１０内の水位（水量）が所定値に満たない場合に、開閉装置４０を開放するように制御して水道本管５０から受入タンク１０に水が供給されるようにしてもよい。これにより、受入タンク１０内の水位（水量）が所定値に満たない場合に自動で水が受入タンク１０に補給されるようにすることができる。なお、レベル発信器３４、ガスハイドレート供給装置１３、及び開閉装置４０は、バッテリーや太陽電池等により、データの送受信を行ったり、開閉したりする。
【００２９】
さらに、図２に示すように、上述の給水システム１００は、受入タンク１０内の圧力を測定する圧力発信器（差圧発信器）１５をさらに備えて、通信線１により上述のガスハイドレート供給装置１３を圧力発信器１５と通信可能に接続し、ガスハイドレート供給装置１３が圧力発信器１５から、圧力発信器１５が測定した受入タンク１０内の圧力のデータを受信できるようにし、さらに、ガスハイドレート供給装置１３がガス抜き弁１２の開閉を制御できるように、ガスハイドレート供給装置１３とガス抜き弁１２とを制御線２で接続し、ガスハイドレート供給装置１３は、受入タンク１０内の圧力上昇に応じてガス抜き弁１２を開放し、受入タンク１０内の圧力を減少するようにしてもよい。これにより、受入タンク１０内の圧力上昇に応じて自動で圧力を減少させることができる。なお、圧力発信器１５、ガスハイドレート供給装置１３、及びガス抜き弁１２は、バッテリーや太陽電池等により、データの送受信を行ったり、受入タンク１０内のガスが抜けるように弁を開放したりする。
【００３０】
また、図２に示すように、上述の給水システム１００は、高置タンク３０内の水位（水量）を測定するレベル発信器３４をさらに備えて、通信線１により上述のガスハイドレート供給装置１３をレベル発信器３４と通信可能に接続し、ガスハイドレート供給装置１３がレベル発信器３４から、レベル発信器３４が測定した高置タンク３０内の水位（水量）のデータを受信できるようにし、さらに、ガスハイドレート供給装置１３とガス抜き弁１２とを制御線２で接続し、ガスハイドレート供給装置１３は、高置タンク３０の水位（水量）が所定値以上に達した場合に、ガス抜き弁１２を開放して受入タンク１０内の圧力を減少させ、受入タンク１０から高置タンク３０への水の供給を停止することとしてもよい。これにより、高置タンク３０の水位が所定値以上に達したときに、受入タンク１０から高置タンク３０への水の供給を自動で停止することができる。なお、レベル発信器３４、ガスハイドレート供給装置１３、及びガス抜き弁１２は、バッテリーや太陽電池等により、データの送受信を行ったり、受入タンク１０内のガスが抜けるように弁を開放したりする。
【００３１】
なお、上述においては、給水システム１００にガスハイドレート供給装置１３を設けて、受入タンク１０へのガスハイドレートの供給、開閉装置４０の開閉、及びガス抜き弁１２の開閉、並びに、レベル発信器１４，３４又は圧力発信器１５とのデータの送受信などの制御を行うこととしているが、図３に示すように、ガスハイドレート供給装置１３の変わりに、給水システム１００に当該装置１３が行うガスハイドレート６１の供給以外の制御を行う制御装置７０を備えることとしてもよい。制御装置７０は、例えば、ＣＰＵやメモリなどを備えるコンピュータ等の装置である。
【００３２】
また、図３に示すように、上述の給水システム１００の受入タンク１０にガスハイドレートを受け入れるためのメッシュ状の容器（ガスハイドレート容器）１７を備え、制御装置７０は、レベル発信器３４から送信されてきた高置タンク３０内の水位（水量）データから所定値に満たないと判断した場合に、開閉装置４０を開放するように制御して水道本管５０から水が受入タンク１０に供給されるようにし、ガスハイドレート容器１７に投入されたガスハイドレートが全部又は一部が浸水するまで所定量の水を受入タンク１０に供給することとしてもよい。これにより、高置タンク３０内の水位（水量）が所定値に満たない場合に、ガスハイドレート容器１７内のガスハイドレートを気化させて、受入タンク１０内の水を高置タンク３０に自動で供給されるようにすることができる。
【００３３】
また、図１に示すように、本実施の形態において、受入タンク１０は、高置タンク３０に供給する水を水道本管５０から受け入れることとしているが、図２及び図３に示すように、受入タンク１０に給水装置（弁及び給水口など）１６を設けて給水車などの給水輸送機と給水可能に接続し、弁を開放して給水口から高置タンク３０に供給する水を受け入れることとしてもよい。これにより、水道本管５０から水を受け入れることができない場合（例えば、断水時など）においても高層建築物２００の蛇口３３に水を供給することができるようになる。
【００３４】
なお、上述の給水システム１００において、ポンプ２０とガスハイドレート供給装置１３又は制御装置７０とを通信線により通信可能に接続し、ポンプ２０とガスハイドレート供給装置１３又は制御装置７０との間で信号のやり取りを行わせ、ガスハイドレート供給装置１３又は制御装置７０がポンプ２０の動作を確認させるようにしてもよい。これにより、ポンプ２０とガスハイドレート供給装置１３又は制御装置７０は、停電や故障によりポンプ２０の停止を自動で検出し、受入タンク１０内の水をガスハイドレートにより高層建築物２００に設置されている蛇口３３に供給することができるようになる。
【００３５】
また、上述のガスハイドレートとしては、水に対して難溶性（好ましくは不溶性）で、かつ不燃性のガスからなるハイドレートであれば特に限定されるものではないが、例えば、空気や窒素などのガスハイドレート、又はこれらの混合物を用いることができる。
【００３６】
＝＝本発明に係る給水システムの給水制御方法＝＝
次に、停電や故障などによってポンプ２０が停止した場合に、図２に示すような給水システム１００においてガスハイドレート供給装置１３が制御する処理について説明する。図４に、本発明の一実施形態として、停電や故障などによってポンプ２０が停止した場合に、ガスハイドレート供給装置１３が制御する処理のフローチャートを示す。
【００３７】
まず、ガスハイドレート供給装置１３は、レベル発信器３４から送信されてくる高置タンク３０の水位のデータを参照して、高置タンク３０の水位が所定値以上であるかどうかを判断する（Ｓ４０１）。ガスハイドレート供給装置１３は、高置タンク３０の水位が所定値に満たないと判断した場合（Ｓ４０１；ＮＯ）には、レベル発信器１４から送信されてくる受入タンク１０の水位のデータを参照して、受入タンク１０の水位が所定値以上であるかどうかを判断する（Ｓ４０２）。
【００３８】
ガスハイドレート供給装置１３は、受入タンク１０の水位が所定値に満たないと判断した場合（Ｓ４０２；ＮＯ）には、ガス抜き弁１２を開放するように制御し（Ｓ４０３）、受入タンク１０内の圧力を減少させて水道本管５０から供給されてくる水が受入タンク１０内の圧力により逆流しないようにする。
【００３９】
次に、ガスハイドレート供給装置１３は、ガス抜き弁１２を閉鎖するように制御するとともに（Ｓ４０４）、開閉装置４０を開放するように制御し（Ｓ４０５）、配管５１を介して水道本管５０から水が受入タンク１０に供給されるようにする。
【００４０】
受入タンク１０に所定量の水が受け入れられると、ガスハイドレート供給装置１３は、開閉装置４０を閉鎖するように制御し（Ｓ４０６）、受入口１１からガスハイドレート保存容器６０内のガスハイドレートを受入タンク１０に供給する（Ｓ４０７）。
【００４１】
また、ガスハイドレート供給装置１３が、受入タンク１０の水位が所定値以上であると判断した場合（Ｓ４０２；ＹＥＳ）にも、ガスハイドレート供給装置１３は、受入口１１からガスハイドレート保存容器６０内のガスハイドレートを受入タンク１０に供給する（Ｓ４０７）。
【００４２】
このように受入タンク１０に供給されたガスハイドレートは、受入タンク１０内の水で気化されてガスを発生し、タンク１０内の圧力を上昇させて受入タンク１０内の水を配管２２を介して高置タンク３０に揚水することとなる。
【００４３】
一方、上述の判断（Ｓ４０１）において、ガスハイドレート供給装置１３が、高置タンク３０の水位が所定値以上であると判断した場合（Ｓ４０１；ＹＥＳ）には、ガスハイドレート供給装置１３は、ガス抜き弁１２を開放するように制御して（Ｓ４０８）、受入タンク１０から高置タンク３０への水の供給を停止し、ガス抜き弁１２を閉鎖するように制御し（Ｓ４０９）、処理を終了する。
【００４４】
以上のように、（Ｓ４０１）〜（Ｓ４０９）の処理をガスハイドレート供給装置１３が行うことにより、必要なときに受入タンク１０に水道本管５０から水を供給したり、高置タンク３０に受入タンク１０から水を供給したりして、高置タンク３０の水位を所定値以上にすることができ、受入タンク１０から高置タンク３０への水の供給を停止することができるようになる。また、ガスハイドレート供給装置１３が定期的に（Ｓ４０１）〜（Ｓ４０９）の処理を行うことにより、長期間ポンプ２０が停止した場合であっても高置タンク３０に受入タンク１０から水を供給することができるので、高層建築物２００に設置されている蛇口３３に給水することが可能となる。
【００４５】
次に、停電や故障などによってポンプ２０が停止した場合に、図３に示すような給水システム１００において制御装置７０が制御する処理について説明する。図５に、本発明の一実施形態として、停電や故障などによってポンプ２０が停止した場合に、制御装置７０が制御する処理のフローチャートを示す。
【００４６】
まず、制御装置７０は、レベル発信器３４から送信されてくる高置タンク３０の水位のデータを参照して、高置タンク３０の水位が所定値以上であるかどうかを判断する（Ｓ５０１）。制御装置７０は、高置タンク３０の水位が所定値以上であると判断した場合（Ｓ５０１；ＹＥＳ）には処理を終了し、高置タンク３０の水位が所定値に満たないと判断した場合（Ｓ５０１；ＮＯ）には、開閉装置４０を開放するように制御して（Ｓ５０２）、配管５１を介して水道本管５０から水が受入タンク１０に供給されるようにし、ガスハイドレート容器１７に投入されたガスハイドレートが全部又は一部が浸水する所定量の水を受入タンク１０に供給する。受入タンク１０に所定量の水が受け入れられると、制御装置７０は開閉装置４０を閉鎖するように制御する（Ｓ５０３）。
【００４７】
なお、ガスハイドレート容器１７内のガスハイドレートは、受入タンク１０内に供給された水で気化されてガスを発生し、タンク１０内の圧力を上昇させて受入タンク１０内の水を配管２２を介して高置タンク３０に揚水することとなる。
【００４８】
揚水中または揚水後、制御装置７０はレベル発信器３４から送信されてくる高置タンク３０の水位のデータを参照して、高置タンク３０の水位が所定値以上であるかどうかを再度判断する（Ｓ５０４）。この判断により、制御装置７０は、高置タンク３０の水位が所定値に満たないと判断した場合（Ｓ５０４；ＮＯ）には、ガス抜き弁１２を開放するように制御して（Ｓ５０５）、水道本管５０から再度水を供給できるように受入タンク１０内の圧力を減少させ、開放したガス抜き弁１２を閉鎖するように制御する（Ｓ５０６）。そして、制御装置７０は、当該装置７０に設けたディスプレイや表示灯、ブザーなどのユーザインターフェースにより、高置タンク３０の水位が所定値以上に達していないことをメッセージし（Ｓ５０７）、処理を終了する。これにより、使用者は、高置タンク３０の水位を上昇させるために、受入タンク１０のガスハイドレート容器１７にガスハイドレートを投入しなければならないことを知ることができる。
【００４９】
一方、制御装置７０は、高置タンク３０の水位が所定値以上であると判断した場合（Ｓ５０４；ＹＥＳ）には、ガス抜き弁１２を開放するように制御して（Ｓ５０８）、受入タンク１０から高置タンク３０への水の供給を停止し、開放したガス抜き弁１２を閉鎖するように制御して（Ｓ５０９）、処理を終了する。
【００５０】
以上のように、（Ｓ５０１）〜（Ｓ５０９）の処理を制御装置７０が行うことにより、必要なときに受入タンク１０に水道本管５０から水を供給したり、高置タンク３０に受入タンク１０から水を供給したりして、高置タンク３０の水位を上昇させることができ、また、受入タンク１０から高置タンク３０への水の供給を停止することができるようになる。さらに、制御装置７０は、受入タンク１０内の水を高置タンク３０に供給しても、高置タンク３０の水位を所定値以上にできなかったことを使用者に知らせることができるようになるので、長期間ポンプ２０が停止した場合であっても高置タンク３０に受入タンク１０から水を供給することができるようになり、高層建築物２００に設置されている蛇口３３に給水が可能となる。
【図面の簡単な説明】
【００５１】
【図１】本発明の一実施形態として説明する給水システムの概略構成を示す図である。
【図２】本発明において、他の一実施形態として説明する給水システムの概略構成を示す図である。
【図３】本発明において、他の一実施形態として説明する給水システムの概略構成を示す図である。
【図４】本発明の一実施形態において、停電や故障などによってポンプが停止した場合に、図２に示す給水システムのガスハイドレート供給装置が制御する処理のフローチャートを示す図である。
【図５】本発明の一実施形態において、停電や故障などによってポンプが停止した場合に、図３に示す給水システムの制御装置が制御する処理のフローチャートを示す図である。
【符号の説明】
【００５２】
１  通信線
２  制御線
１０  受入タンク
１１  受入口
１２，３１  ガス抜き弁
１３  ガスハイドレート供給装置
１４，３４  レベル発信器
１５  圧力発信器
１６  給水装置
１７  ガスハイドレート容器
２０  ポンプ
２１，２２，３２，５１  配管
３０  高置タンク
３３  蛇口
４０  開閉装置
５０  水道本管
６０  ガスハイドレート保存容器
６１  ガスハイドレート
７０  制御装置
１００  給水システム
２００  高層建築物
【図１】
0004606384.tif 000002
【図２】
0004606384.tif 000003
【図３】
0004606384.tif 000004
【図４】
0004606384.tif 000005
【図５】
0004606384.tif 000006